(57)【要約】【課題】外部管理サーバと接続ができない状態であっても、コンテンツに関する著作権を保護しながら、外部記憶媒体から取得したコンテンツを再生することが可能なコンテンツ再生装置を提供する。【解決手段】このＢＤレコーダ１は、ブルーレイディスク２から取得されたコンテンツ２１と、コンテンツ２１が取得されたブルーレイディスク２に固有に設けられているディスクＩＤ２２とが格納されているハードディスクドライブ１５と、ハードディスクドライブ１５のコンテンツ２１を再生する際に、著作権管理サーバ４と接続ができない場合に、ブルーレイディスク２からディスクＩＤ２２を取得して、取得したディスクＩＤ２２と、ハードディスクドライブ１５に格納されているディスクＩＤ２２とが一致していることに基づいて、コンテンツ２１を再生することを許可する制御を行う制御部１１とを備える。【選択図】図５
2015225676.tif 000002
【特許請求の範囲】
【請求項１】
外部記憶媒体から取得されたコンテンツと、前記コンテンツが取得された前記外部記憶媒体に固有に設けられている識別情報とが格納されている記憶部と、
前記記憶部の前記コンテンツを再生する制御を行う制御部とを備え、
前記制御部は、前記記憶部の前記コンテンツを再生する際に、外部管理サーバと接続ができない場合に、前記外部記憶媒体から前記識別情報を取得して、取得した前記識別情報と、前記記憶部に格納されている前記識別情報とが一致していることに基づいて、前記コンテンツを再生することを許可する制御を行うように構成されている、コンテンツ再生装置。
【請求項２】
前記制御部は、前記記憶部の前記コンテンツを再生する際に、前記外部管理サーバと接続が可能な場合には、前記外部管理サーバによる認証に基づいて、前記コンテンツを再生することを許可する制御を行うように構成されている、請求項１に記載のコンテンツ再生装置。
【請求項３】
前記記憶部は、前記外部記憶媒体から前記コンテンツと前記識別情報とが格納される際に、前記コンテンツと前記識別情報とに加えて、前記コンテンツの再生可能な回数である再生可能回数、または、前記コンテンツの再生可能な期間である再生可能期間が格納されるように構成されており、
前記制御部は、前記記憶部の前記コンテンツを再生する際に、前記再生可能回数が０回の場合、または、取得した前記識別情報と前記記憶部に格納されている前記識別情報とが一致していると前記制御部が判断した時から経過した時間が前記再生可能期間を超えた場合に、前記外部記憶媒体から前記識別情報を取得して、取得した前記識別情報と、前記記憶部に格納されている前記識別情報とが一致していることに基づいて、前記コンテンツを再生することを許可する制御を行うように構成されている、請求項１または２に記載のコンテンツ再生装置。
【請求項４】
前記制御部は、前記記憶部の前記コンテンツを再生する際に、前記外部記憶媒体から前記識別情報を取得して、取得した前記識別情報と、前記記憶部に格納されている前記識別情報とが一致している場合に、前記コンテンツを再生することを許可するとともに、前記再生可能回数または前記再生可能期間をリセットする制御を行うように構成されている、請求項３に記載のコンテンツ再生装置。
【請求項５】
ローカルエリアネットワークと通信可能な通信部をさらに備え、
前記制御部は、前記記憶部の前記コンテンツを再生する際に、前記外部管理サーバと接続ができない場合に、前記ローカルエリアネットワークに接続されている機器のいずれかにセットされている前記外部記憶媒体から前記識別情報を取得して、取得した前記識別情報と、前記記憶部に格納されている前記識別情報とが一致していることに基づいて、前記コンテンツを再生することを許可する制御を行うように構成されている、請求項１〜４のいずれか１項に記載のコンテンツ再生装置。
【請求項６】
前記制御部は、前記ローカルエリアネットワークを介して、前記コンテンツ再生装置とは別個に設けられた外部のコンテンツ再生装置から前記コンテンツの配信を要求するコンテンツ配信要求信号を取得した場合に、前記ローカルエリアネットワークに接続されている機器のいずれかにセットされている前記外部記憶媒体から前記識別情報を取得して、取得した前記識別情報と、前記記憶部に格納されている前記識別情報とが一致していることに基づいて、前記コンテンツを前記外部のコンテンツ再生装置に配信することを許可する制御を行うように構成されている、請求項５に記載のコンテンツ再生装置。
【請求項７】
外部表示部に画像を出力可能な出力部をさらに含み、
前記制御部は、前記記憶部の前記コンテンツを再生する際に、前記外部管理サーバと接続ができない場合に、ユーザに前記外部記憶媒体のセットを促す表示を、前記出力部から出力する制御を行うように構成されている、請求項１〜６のいずれか１項に記載のコンテンツ再生装置。
【発明の詳細な説明】
【技術分野】
【０００１】
この発明は、コンテンツ再生装置に関し、特に、外部記憶媒体から取得したコンテンツを再生する制御部を備えたコンテンツ再生装置に関する。
【背景技術】
【０００２】
従来、外部記憶媒体から取得したコンテンツを再生する制御部を備えたコンテンツ再生装置が知られている（たとえば、特許文献１参照）。
【０００３】
上記特許文献１には、配信サーバまたは音楽ＣＤからリッピングされたコンテンツを再生するコンテンツ再生装置が開示されている。このコンテンツ再生装置は、リッピングの際に、コンテンツの提供元（サーバ）からソースＩＤを取得してコンテンツに付加して記憶するように構成されている。また、このコンテンツ再生装置は、サーバからユーザ認証を得るとともに、レコーダＩＤを取得するように構成されている。そして、このコンテンツ再生装置は、コンテンツを再生する際に、ソースＩＤとレコーダＩＤとに基づいて、再生可否の判断をする制御を行うように構成されている。これにより、ソースＩＤおよびレコーダＩＤを有しないコンテンツ再生装置によって、コンテンツが再生されるのを抑制することが可能に構成されている。
【先行技術文献】
【特許文献】
【０００４】
【特許文献１】特開２００６−０５９３２６号公報
【発明の概要】
【発明が解決しようとする課題】
【０００５】
ここで、ＢＤＡ（Ｂｌｕ−ｒａｙ（登録商標）  Ｄｉｓｃ  Ａｓｓｏｃｉａｔｉｏｎ）などにより新たなブルーレイディスク（ＢＤ）の規格が策定中である。この新たなＢＤの規格には、記憶媒体（ＢＤ）に記憶されているコンテンツを２次記憶媒体（記憶部または外部記憶部）に記憶する（リッピング処理する）ことを許す著作権管理方法（たとえば、ＢＤ  Ｂｒｉｄｇｅ）が含まれる予定である。この場合、コンテンツ再生装置を、ブルーレイディスクからリッピングしたコンテンツを再生する際に、インターネットを介して、著作権管理サーバ（外部管理サーバ）に接続させて、コンテンツを再生するための認証を取得させる制御を行うように構成する方法が検討されている。
【０００６】
しかしながら、上記のコンテンツ再生装置が、インターネット接続環境にない状態や著作権管理サーバと接続不可能な状態では、著作権管理サーバと接続可能であれば再生することが許可されたコンテンツ再生装置であっても、コンテンツを再生することができないという問題点がある。
【０００７】
この発明は、上記のような課題を解決するためになされたものであり、この発明の１つの目的は、外部管理サーバと接続ができない状態であっても、コンテンツに関する著作権を保護しながら、外部記憶媒体から取得したコンテンツを再生することが可能なコンテンツ再生装置を提供することである。
【課題を解決するための手段】
【０００８】
上記目的を達成するために、この発明の一の局面によるコンテンツ再生装置は、外部記憶媒体から取得されたコンテンツと、コンテンツが取得された外部記憶媒体に固有に設けられている識別情報とが格納されている記憶部と、記憶部のコンテンツを再生する制御を行う制御部とを備え、制御部は、記憶部のコンテンツを再生する際に、外部管理サーバと接続ができない場合に、外部記憶媒体から識別情報を取得して、取得した識別情報と、記憶部に格納されている識別情報とが一致していることに基づいて、コンテンツを再生することを許可する制御を行うように構成されている。
【０００９】
この発明の一の局面によるコンテンツ再生装置では、上記のように、制御部を、外部管理サーバと接続ができない場合に、外部記憶媒体から識別情報を取得して、取得した識別情報と、記憶部に格納されている識別情報とが一致していることに基づいて、コンテンツを再生することを許可する制御を行うように構成する。これにより、外部管理サーバと接続ができない場合であっても、外部記憶媒体から識別情報を取得して、コンテンツを再生することができる。その結果、コンテンツに関する著作権を保護しながら、外部記憶媒体から取得したコンテンツを再生することができる。
【００１０】
上記一の局面によるコンテンツ再生装置において、好ましくは、制御部は、記憶部のコンテンツを再生する際に、外部管理サーバと接続が可能な場合には、外部管理サーバによる認証に基づいて、コンテンツを再生することを許可する制御を行うように構成されている。このように構成すれば、外部管理サーバと接続が可能な場合には、改めて外部記憶媒体から識別情報を取得することなく、コンテンツを再生することができる。
【００１１】
上記一の局面によるコンテンツ再生装置において、好ましくは、記憶部は、外部記憶媒体からコンテンツと識別情報とが格納される際に、コンテンツと識別情報とに加えて、コンテンツの再生可能な回数である再生可能回数、または、コンテンツの再生可能な期間である再生可能期間が格納されるように構成されており、制御部は、記憶部のコンテンツを再生する際に、再生可能回数が０回の場合、または、取得した識別情報と、記憶部に格納されている識別情報とが一致していると制御部が判断した時から経過した時間が再生可能期間を超えた場合に、外部記憶媒体から識別情報を取得して、取得した識別情報と、記憶部に格納されている識別情報とが一致していることに基づいて、コンテンツを再生することを許可する制御を行うように構成されている。このように構成すれば、再生可能回数が０回の場合、または、取得した識別情報と、記憶部に格納されている識別情報とが一致していると制御部が判断した時から経過した時間が再生可能期間を超えた場合であっても、識別情報を取得することによって、コンテンツを再生することができる。
【００１２】
上記一の局面によるコンテンツ再生装置において、好ましくは、制御部は、記憶部のコンテンツを再生する際に、外部記憶媒体から識別情報を取得して、取得した識別情報と、記憶部に格納されている識別情報とが一致している場合に、コンテンツを再生することを許可するとともに、再生可能回数または再生可能期間をリセットする制御を行うように構成されている。このように構成すれば、再生可能回数が０回の場合、または、経過した期間が再生可能期間を超えた場合であっても、再生可能回数または再生可能期間をリセットすることによって、コンテンツを再生する毎に識別情報を取得する必要がなくなる。
【００１３】
上記一の局面によるコンテンツ再生装置において、好ましくは、ローカルエリアネットワークと通信可能な通信部をさらに備え、制御部は、記憶部のコンテンツを再生する際に、外部管理サーバと接続ができない場合に、ローカルエリアネットワークに接続されている機器のいずれかにセットされている外部記憶媒体から識別情報を取得して、取得した識別情報と、記憶部に格納されている識別情報とが一致していることに基づいて、コンテンツを再生することを許可する制御を行うように構成されている。このように構成すれば、外部記憶媒体を、ローカルエリアネットワークに接続されている機器のいずれかにセットすることによって、コンテンツを再生することができる。
【００１４】
この場合、好ましくは、制御部は、ローカルエリアネットワークを介して、コンテンツ再生装置とは別個に設けられた外部のコンテンツ再生装置からコンテンツの配信を要求するコンテンツ配信要求信号を取得した場合に、ローカルエリアネットワークに接続されている機器のいずれかにセットされている外部記憶媒体から識別情報を取得して、取得した識別情報と、記憶部に格納されている識別情報とが一致していることに基づいて、コンテンツを外部のコンテンツ再生装置に配信することを許可する制御を行うように構成されている。このように構成すれば、取得した識別情報と、記憶部に格納されている識別情報とが一致している場合にのみコンテンツが配信されるので、外部のコンテンツ再生装置からコンテンツの配信を要求するコンテンツ配信要求信号を取得した場合に、無制限にコンテンツが配信されるのを抑制することができる。
【００１５】
上記一の局面によるコンテンツ再生装置において、好ましくは、外部表示部に画像を出力可能な出力部をさらに含み、制御部は、記憶部のコンテンツを再生する際に、外部管理サーバと接続ができない場合に、ユーザに外部記憶媒体のセットを促す表示を、出力部から出力する制御を行うように構成されている。このように構成すれば、ユーザに、外部記憶媒体をセットする必要があることを視認させることができる。
【発明の効果】
【００１６】
本発明によれば、上記のように、外部管理サーバと接続ができない状態であっても、コンテンツに関する著作権を保護しながら、外部記憶媒体から取得したコンテンツを再生することができる。
【図面の簡単な説明】
【００１７】
【図１】本発明の第１実施形態によるコンテンツ再生装置の全体構成を示したブロック図である。
【図２】本発明の第１実施形態によるコンテンツ管理情報を説明するための図である。
【図３】本発明の第１実施形態によるコンテンツの選択画面を説明するための図である。
【図４】本発明の第１実施形態によるユーザにブルーレイディスクのセットを促す表示を説明するための図である。
【図５】本発明の第１実施形態によるコンテンツの再生制御処理を説明するためのフローチャートである。
【図６】本発明の第２実施形態によるコンテンツ管理情報を説明するための図である。
【図７】本発明の第２実施形態によるユーザにブルーレイディスクのセットを促す表示を説明するための図である。
【図８】本発明の第２実施形態によるコンテンツの再生制御処理を説明するためのフローチャートである。
【図９】本発明の第３実施形態によるコンテンツ再生装置の全体構成を示したブロック図である。
【図１０】本発明の第３実施形態によるユーザにブルーレイディスクのセットを促す表示を説明するための図である。
【図１１】本発明の第３実施形態によるコンテンツの再生制御処理を説明するためのフローチャートである。
【図１２】本発明の第４実施形態によるコンテンツ再生装置の全体構成を示したブロック図である。
【図１３】本発明の第４実施形態によるコンテンツの配信制御処理を説明するためのフローチャートである。
【図１４】本発明の第５実施形態によるコンテンツ管理情報を説明するための図である。
【図１５】本発明の第５実施形態によるユーザにブルーレイディスクのセットを促す表示を説明するための図である。
【図１６】本発明の第５実施形態によるコンテンツの再生制御処理を説明するためのフローチャートである。
【発明を実施するための形態】
【００１８】
以下、本発明の実施形態を図面に基づいて説明する。
【００１９】
（第１実施形態）
図１〜図４を参照して、本発明の第１実施形態によるブルーレイディスク（ＢＤ）レコーダ１の構成について説明する。なお、ＢＤレコーダ１は、本発明の「コンテンツ再生装置」の一例である。
【００２０】
本発明の第１実施形態によるＢＤレコーダ１は、図１に示すように、ブルーレイディスク２を内部に挿入可能（セットすることが可能）に構成されている。また、ＢＤレコーダ１は、外部のリムーバブルメモリ３と接続可能に構成されている。なお、ブルーレイディスク２は、本発明の「外部記憶媒体」の一例である。
【００２１】
また、ＢＤレコーダ１の外部には、著作権管理サーバ４が設けられている。著作権管理サーバ４は、インターネット７を介してＢＤレコーダ１と通信可能に構成されている。また、著作権管理サーバ４は、本発明の「外部管理サーバ」の一例である。
【００２２】
また、ＢＤレコーダ１の外部には、テレビジョン装置５が設けられている。テレビジョン装置５は、ＢＤレコーダ１とケーブルを介して接続されている。
【００２３】
また、ＢＤレコーダ１の外部には、ルータ６が設けられている。ルータ６は、ＢＤレコーダ１の後述する通信部１２およびインターネット７と接続されている。そして、ＢＤレコーダ１は、ルータ６を介して、インターネット７と接続可能に構成されている。
【００２４】
そして、ブルーレイディスク２は、映像および音声などからなるコンテンツ２１と、固有のディスクＩＤ（Ｉｄｅｎｔｉｔｙ）２２とが予め記憶されている。また、同じコンテンツ２１を含むブルーレイディスク２であっても、個々に別々のディスクＩＤ２２が設けられている。具体的には、ディスクＩＤ２２は、ブルーレイディスク２のバーストカッティングエリアなどに設けられている。たとえば、図２に示すように、タイトル名「日本の景勝地」のディスクＩＤ２２は、「１２３４５６７８９０」である。なお、ディスクＩＤ２２は、本発明の「識別情報」の一例である。
【００２５】
また、図１に示すように、リムーバブルメモリ３は、不揮発性メモリからなり、ＢＤレコーダ１の後述するＵＳＢ（Ｕｎｉｖｅｒｓａｌ  Ｓｅｒｉａｌ  Ｂｕｓ）接続部１４に接続可能に構成されている。そして、リムーバブルメモリ３は、ＵＳＢ接続部１４を介して、ＢＤレコーダ１と、データ（たとえば、コンテンツ２１など）の送受信することが可能に構成されている。そして、リムーバブルメモリ３は、受信したデータを内部に記憶可能に構成されている。
【００２６】
そして、図１に示すように、ＢＤレコーダ１には、制御部１１が設けられている。制御部１１は、ＣＰＵ（Ｃｅｎｔｒａｌ  Ｐｒｏｃｅｓｓｉｎｇ  Ｕｎｉｔ）を含む。また、制御部１１は、ＢＤレコーダ１の各部に制御信号を伝達することによって、ＢＤレコーダ１全体を制御するように構成されている。
【００２７】
また、ＢＤレコーダ１には、通信部１２が設けられている。通信部１２は、ルータ６と接続されており、ルータ６を介して、インターネット７および著作権管理サーバ４と接続可能に構成されている。
【００２８】
また、ＢＤレコーダ１には、ＢＤドライブ１３が設けられている。ＢＤドライブ１３は、ブルーレイディスク２をＢＤレコーダ１の内部にセットすることが可能に構成されている。また、ＢＤドライブ１３は、青紫色半導体レーザ（図示せず）などを含み、制御部１１の指令に基づいて、ブルーレイディスク２に格納されたコンテンツ２１およびディスクＩＤ２２を読み出し可能に構成されている。
【００２９】
また、ＢＤレコーダ１には、ＵＳＢ接続部１４が設けられている。ＵＳＢ接続部１４は、ＵＳＢ規格に基づいた端子を含み、リムーバブルメモリ３と接続可能に構成されている。そして、ＢＤレコーダ１は、ＵＳＢ接続部１４を介して、コンテンツ２１などのデータをリムーバブルメモリ３に送受信するように構成されている。
【００３０】
また、ＢＤレコーダ１には、ハードディスクドライブ１５が設けられている。ここで、第１実施形態では、ハードディスクドライブ１５は、ブルーレイディスク２から取得されたコンテンツ２１と、コンテンツ２１が取得されたブルーレイディスク２に固有に設けられているディスクＩＤ２２とが記憶されるように構成されている。なお、ハードディスクドライブ１５は、本発明の「記憶部」の一例である。
【００３１】
具体的には、図２に示すように、ハードディスクドライブ１５には、ＢＤレコーダ１にコンテンツ管理情報２３が格納されている。そして、ハードディスクドライブ１５は、ＢＤドライブ１３によりブルーレイディスク２から読み出したコンテンツ２１を、制御部１１の指令に基づいて、ハードディスクドライブ１５の内部に記憶する（リッピング処理する）ように構成されている。また、ハードディスクドライブ１５は、制御部１１の指令に基づいて、ブルーレイディスク２から読み出したディスクＩＤ２２をコンテンツ管理情報２３に追加させて、ハードディスクドライブ１５の内部に記憶するように構成されている。また、コンテンツ管理情報２３は、本発明の「識別情報」の一例である。
【００３２】
たとえば、図２に示すように、コンテンツ管理情報２３は、ブルーレイディスク２から取得した（リッピング処理した）コンテンツ２１の情報を、タイトル名（タイトル１）が「日本の景勝地」、取得した日時（タイトル開始日時）が「２０１４／１／１／０：００」、コンテンツ再生時間（タイトル時間長）が「１２０分」、リッピング元（ブルーレイディスク２）のディスクＩＤ２２が「１２３４５６７８９０」として含む。また、ディスクＩＤ２２の内容は、バーストカッティングエリアの値そのものではなく、制御部１１により暗号化された値として、ハードディスクドライブ１５に記憶されている。
【００３３】
また、図２に示すように、コンテンツ管理情報２３は、著作権管理されていないコンテンツ（たとえば、放送波から取得したコンテンツなど）の情報を、タイトル名（タイトル２）が「イブニングバード」、取得した日時（タイトル開始日時）が「２０１３／３／５／１６：００」、コンテンツ再生時間（タイトル時間長）が「６０分」、リッピング元のディスクＩＤが「なし」として含む。
【００３４】
また、ハードディスクドライブ１５は、制御部１１の指令に基づいて、記憶されているコンテンツ２１などを読み出し可能に構成されている。
【００３５】
そして、図１に示すように、ＢＤレコーダ１には、後述するテレビジョン装置５の表示部５３に画像を出力可能なＯＳＤ（Ｏｎ−Ｓｃｒｅｅｎ  Ｄｉｓｐｌａｙ）部１６が設けられている。具体的には、ＯＳＤ部１６は、図３および図４に示すように、制御部１１の指令に基づいて、ハードディスクドライブ１５に記憶されているコンテンツ管理情報２３に基づいて、コンテンツの選択画面（図３参照）を出力可能に構成されている。そして、ＯＳＤ部１６は、接続部１７を介して、コンテンツの選択画面を、テレビジョン装置５に伝達するように構成されている。そして、制御部１１は、後述するユーザによるリモコン１９の選択操作に基づいて、ハードディスクドライブ１５に記憶されているコンテンツ（コンテンツ２１など）を再生する制御を行うように構成されている。たとえば、図３に示すように、タイトル名「日本の景勝地」（コンテンツ２１）がユーザの操作により選択された場合には、制御部１１は、ＯＳＤ部１６から、コンテンツ２１を出力させる制御を行うように構成されている。なお、ＯＳＤ部１６は、本発明の「出力部」の一例である。
【００３６】
ここで、第１実施形態では、図４に示すように、制御部１１は、ハードディスクドライブ１５のコンテンツ２１を再生する際に、著作権管理サーバ４と接続ができない場合に、ユーザにブルーレイディスク２のセットを促す表示を、ＯＳＤ部１６から出力する制御を行うように構成されている。たとえば、ブルーレイディスク２からリッピング処理されたコンテンツ２１であるタイトル名「日本の景勝地」が、ユーザの操作により選択された場合には、制御部１１は、通信部１２を介して、著作権管理サーバ２との接続が可能か否かを判断するように構成されている。そして、制御部１１は、著作権管理サーバ２との接続が可能ではないと判断した場合には、ユーザにブルーレイディスク２のセットを促す表示である「リッピング元のディスクを挿入してください。」をＯＳＤ部１６から出力する制御を行うように構成されている。
【００３７】
また、図１に示すように、ＢＤレコーダ１には、接続部１７が設けられている。接続部１７は、ケーブルを介して、テレビジョン装置５と接続可能に構成されている。そして、接続部１７は、コンテンツ２１の映像音声信号およびＯＳＤ部１６から出力された画像（ブルーレイディスク２のセットを促す表示）などを、ＢＤレコーダ１からテレビジョン装置５に伝達するように構成されている。
【００３８】
また、ＢＤレコーダ１には、操作受信部１８が設けられている。操作受信部１８は、受光素子等を含む。そして、受光素子は、後述するリモコン１９から発光された赤外光を受光して、ユーザの操作情報を取得するように構成されている。そして、操作受信部１８は、取得したユーザの操作情報を制御部１１に伝達するように構成されている。
【００３９】
また、ＢＤレコーダ１には、リモコン１９が設けられている。リモコン１９は、ユーザの操作を受け付けるように構成されている。リモコン１９は、発光素子等を含み、受け付けたユーザの操作情報を、発光素子から赤外光を用いて、操作受信部１７に送信するように構成されている。
【００４０】
また、図１に示すように、著作権管理サーバ４には、制御部４１が設けられている。制御部４１は、ＣＰＵなどを含み、著作権管理サーバ４の各部に制御信号を伝達することによって著作権管理サーバ４の全体を制御するように構成されている。
【００４１】
また、著作権管理サーバ４には、記憶部４２が設けられている。記憶部４２は、市場に販売されているブルーレイディスク（ブルーレイディスク２を含む）の各々のディスクＩＤ（ディスクＩＤ２２を含む）が予め格納されている。
【００４２】
また、著作権管理サーバ４には、通信部４３が設けられている。通信部４３は、インターネット７と通信可能に構成されている。そして、通信部４３は、インターネット７を介して、ＢＤレコーダ１とデータを送受信可能に構成されている。
【００４３】
また、図１に示すように、テレビジョン装置５には、制御部５１が設けられている。制御部５１は、ＣＰＵなどを含み、テレビジョン装置５の各部に制御信号を伝達することによってテレビジョン装置５の全体を制御するように構成されている。
【００４４】
また、テレビジョン装置５には、接続部５２が設けられている。接続部５２は、ＢＤレコーダ１とケーブルを介して接続可能に構成されている。そして、接続部５２は、映像音声および画像データ（コンテンツ２１およびブルーレイディスク２のセットを促す表示など）を受信可能に構成されている。
【００４５】
また、テレビジョン装置５には、表示部５３が設けられている。上記したように、表示部５３は、接続部５２を介して、受信したコンテンツ２１およびブルーレイディスク２のセットを促す表示（図４参照）などを、制御部５１の指令に基づいて、表示するように構成されている。
【００４６】
次に、図５を参照して、第１実施形態によるＢＤレコーダ１のコンテンツ再生制御処理フローについて説明する。ＢＤレコーダ１における処理は、制御部１１により行われる。
【００４７】
まず、図５に示すように、ステップＳ１において、上記したコンテンツの選択画面（図３参照）において、ユーザにより選択されたコンテンツが、リッピング処理により取得したコンテンツか否かが判断される。すなわち、ユーザにより選択されたコンテンツがブルーレイディスク２からリッピング処理してハードディスクドライブ１５に記憶されたコンテンツ２１（タイトル名「日本の景勝地」）である場合には、ステップＳ２に進む。また、ユーザにより選択されたコンテンツがブルーレイディスク２からリッピング処理してハードディスクドライブ１５に記憶されたコンテンツ２１でない場合（たとえば、タイトル名「イブニングバード」）には、ステップＳ５に進む。
【００４８】
そして、ステップＳ２において、著作権管理サーバ４との接続が可能か否かが判断される。著作権管理サーバ４との接続が可能な場合、ステップＳ６に進み、著作権管理サーバ４との接続が可能ではない場合には、ステップＳ３に進む。
【００４９】
ここで、第１実施形態では、ステップＳ３において、ユーザにブルーレイディスク２のセットを促す表示（図４参照）がＯＳＤ部１６から出力される。その後、ステップＳ４に進む。
【００５０】
また、第１実施形態では、ハードディスクドライブ１５のコンテンツ２１を再生する際に、著作権管理サーバ４と接続ができない場合に、ブルーレイディスク２からディスクＩＤ２２を取得して、取得したディスクＩＤ２２と、ハードディスクドライブ１５に格納されているコンテンツ管理情報２３に含まれるディスクＩＤとが一致していることに基づいて、コンテンツ２１を再生することが許可される。
【００５１】
具体的には、ステップＳ４において、ＢＤドライブ１３にセットされているブルーレイディスク（ブルーレイディスク２）からディスクＩＤ（ディスクＩＤ２２）を取得して、取得したディスクＩＤ（ディスクＩＤ２２）と、コンテンツ管理情報２３に含まれるディスクＩＤとが一致するか否かが判断される。取得したディスクＩＤ２２と、コンテンツ管理情報２３に含まれるディスクＩＤ２２とが一致するまでこの判断は繰り返され、コンテンツ管理情報２３に含まれるディスクＩＤ２２とが一致する場合、ステップＳ５に進む。
【００５２】
そして、ステップＳ５において、コンテンツ２１の再生が行われる。すなわち、ハードディスクドライブ１５に記憶されているコンテンツ２１が読み出され、読み出されたコンテンツ２１が、接続部１７を介して、テレビジョン装置５に伝達される。そして、テレビジョン装置５の表示部５３にコンテンツ２１が表示される。その後、ＢＤレコーダ１のコンテンツ再生制御処理フローは終了される。
【００５３】
また、ステップＳ２において著作権管理サーバ４との接続が可能な場合に、第１実施形態では、著作権管理サーバ４による認証に基づいて、コンテンツ２１の再生が許可される。具体的には、ステップＳ６において、著作権管理サーバ４に認証要求信号の送信が行われる。認証要求信号は、選択されたコンテンツ２１のディスクＩＤ２２を含む。そして、著作権管理サーバ４は、認証要求信号を取得して、取得した認証要求信号に応じて、認証信号がＢＤレコーダ１に送信される。その後、ステップＳ７に進む。
【００５４】
そして、ステップＳ７において、著作権管理サーバ４から認証信号の取得が行われる。その後、ステップＳ５に進む。すなわち、ステップＳ５は、ステップＳ１における選択されたコンテンツがリッピング処理により取得されたコンテンツでない場合と、ステップＳ４におけるブルーレイディスク２から取得したディスクＩＤ２２とコンテンツ管理情報２３に含まれるディスクＩＤとが一致する場合と、ステップＳ７における著作権管理サーバ４から認証信号を取得した場合とに、実行される。
【００５５】
第１実施形態では、以下のような効果を得ることができる。
【００５６】
第１実施形態では、上記のように、ＢＤレコーダ１の制御部１１を、著作権管理サーバ４と接続ができない場合に、ブルーレイディスク２からディスクＩＤ２２を取得して、取得したディスクＩＤ２２と、ハードディスクドライブ１５に格納されているコンテンツ管理情報２３のディスクＩＤ２２とが一致していることに基づいて、コンテンツ２１を再生することを許可する制御を行うように構成する。これにより、著作権管理サーバ４と接続ができない場合であっても、ブルーレイディスク２からディスクＩＤ２２を取得して、コンテンツ２１を再生することができる。その結果、コンテンツ２１に関する著作権を保護しながら、ブルーレイディスク２から取得したコンテンツ２１を再生することができる。
【００５７】
また、第１実施形態では、上記のように、ＢＤレコーダ１の制御部１１を、ハードディスクドライブ１５のコンテンツ２１を再生する際に、著作権管理サーバ４と接続が可能な場合には、著作権管理サーバ４による認証に基づいて、コンテンツ２１を再生することを許可する制御を行うように構成する。これにより、著作権管理サーバ４と接続が可能な場合には、改めてブルーレイディスク２からディスクＩＤ２２を取得することなく、コンテンツ２１を再生することができる。
【００５８】
また、第１実施形態では、上記のように、ＢＤレコーダ１は、テレビジョン装置５の表示部５３に画像を出力可能なＯＳＤ部１６を含む。また、ＢＤレコーダ１の制御部１１を、ハードディスクドライブ１５のコンテンツ２１を再生する際に、著作権管理サーバ４と接続ができない場合に、ユーザにブルーレイディスク２のセットを促す表示を、ＯＳＤ部１６から出力する制御を行うように構成する。これにより、ユーザに、ブルーレイディスク２をセットする必要があることを視認させることができる。
【００５９】
（第２実施形態）
次に、図１、図６および図７を参照して、第２実施形態によるＢＤレコーダ１０１の構成について説明する。第２実施形態では、コンテンツの再生可能な回数である再生可能回数が設けられている。
【００６０】
図１に示すように、第２実施形態によるＢＤレコーダ１０１は、制御部１１１と、ハードディスクドライブ１１５とを含む。
【００６１】
ここで、第２実施形態では、図６に示すように、ハードディスクドライブ１１５は、ブルーレイディスク２からコンテンツ２１とディスクＩＤ２２とが格納される際に、コンテンツ２１とディスクＩＤ２２とに加えて、コンテンツ２１の再生可能な回数である再生可能回数を、コンテンツ管理情報１２３に追加して格納するように構成されている。
【００６２】
具体的には、図６に示すように、制御部１１１は、ＢＤドライブ１３に挿入されているブルーレイディスク２からコンテンツ２１とディスクＩＤ２２とを取得する（リッピング処理する）際に、再生可能回数を設定する制御を行うように構成されている。そして、制御部１１１は、コンテンツ２１とディスクＩＤ２２とに、設定した再生可能回数（たとえば、初期値を５回とする）の内容を付加したコンテンツ管理情報１２３をハードディスクドライブ１１５に記憶するように構成されている。
【００６３】
たとえば、図６に示すように、コンテンツ管理情報１２３は、第１実施形態によるコンテンツ管理情報２３の内容に加えて、コンテンツ２１（タイトル名「日本の景勝地」）に対応する情報として、「再生可能回数：５」の内容を含む。また、ブルーレイディスクからリッピング処理により取得されたコンテンツではないコンテンツ（タイトル名「イブニングバード」）に対応する情報として、「再生可能回数：無制限」の内容を含む。
【００６４】
また、図７に示すように、制御部１１１は、ハードディスクドライブ１１５のコンテンツ２１を再生する際に、再生可能回数が０回である場合は、ユーザにブルーレイディスク２のセットを促す表示を、ＯＳＤ部１６から出力する制御を行うように構成されている。たとえば、ブルーレイディスク２からリッピング処理されたコンテンツ２１であるタイトル名「日本の景勝地」が、ユーザの操作により選択された場合に、制御部１１１は、コンテンツ２１の再生可能回数が０回であるか否かを判断する制御を行うように構成されている。そして、制御部１１１は、再生可能回数が０回であると判断した場合には、ユーザにブルーレイディスク２のセットを促す表示である「再生可能回数は０回です。リッピング元のディスクを挿入してください。」をＯＳＤ部１６から出力する制御を行うように構成されている。そして、テレビジョン装置５の表示部５３に、上記のブルーレイディスク２のセットを促す表示が表示されるように構成されている。また、第２実施形態によるＢＤレコーダ１０１のその他の構成は、第１実施形態におけるＢＤレコーダ１と同様である。
【００６５】
次に、図８を参照して、第２実施形態によるＢＤレコーダ１０１のコンテンツ再生制御処理フローについて説明する。ＢＤレコーダ１０１における処理は、制御部１１１により行われる。
【００６６】
まず、図８に示すように、ステップＳ１、Ｓ２、Ｓ６およびＳ７においては、第１実施形態によるＢＤレコーダ１のコンテンツ再生制御処理のステップＳ１、Ｓ２、Ｓ６およびＳ７と同様に処理される。そして、第２実施形態では、ステップＳ２において著作権管理サーバ４と接続が可能ではない場合に、ステップＳ１０１に進む。
【００６７】
ここで、第２実施形態では、ステップＳ１０１において、再生可能回数が０回か否かが判断される。再生可能回数が０回の場合には、ステップＳ１０２に進み、再生可能回数が０回でない（１回以上の）場合には、ステップＳ１０４に進む。
【００６８】
そして、ステップＳ１０２において、ブルーレイディスク２のセットを促す表示（図７参照）がＯＳＤ部１６から出力される。その後、ステップＳ４に進む。そして、ステップＳ４においては、第１実施形態によるＢＤレコーダ１のコンテンツ再生制御処理のステップＳ４と同様の処理が行われる。その後、ステップＳ１０３に進む。
【００６９】
ここで、第２実施形態では、コンテンツ２１を再生することが許可されるとともに、再生可能回数がリセットされる。すなわち、ハードディスクドライブ１１５のコンテンツ２１を再生する際に、ブルーレイディスク２からディスクＩＤ２２を取得して、取得したディスクＩＤ２２と、ハードディスクドライブ１１５に格納されているディスクＩＤ２２とが一致している場合（ステップＳ４）に、コンテンツ２１を再生することが許可されるとともに、再生可能回数がリセットされる（ステップＳ１０３）。具体的には、再生可能回数が０回から初期値である５回に戻される。その後、ステップＳ５に進む。そして、ステップＳ５において、コンテンツ２１の再生が行われる。
【００７０】
また、ステップＳ１０１において再生可能回数が０回ではない場合は、ステップＳ１０４において、再生可能回数が１回分減らされる。たとえば、再生可能回数が５回の場合には、４回に変更され、再生可能回数の内容がハードディスクドライブ１１５に記憶される。その後、ステップＳ５に進む。その後、ＢＤレコーダ１０１のコンテンツ再生制御処理フローは終了される。すなわち、第２実施形態によるコンテンツ再生制御処理は、第１実施形態によるコンテンツ再生制御処理とは異なり、再生可能回数が０回ではない場合は、著作権管理サーバ４との接続が可能ではない場合であっても、ブルーレイディスク２からディスクＩＤ２２を取得する処理は行われない。
【００７１】
第２実施形態では、以下のような効果を得ることができる。
【００７２】
第２実施形態では、上記のように、ＢＤレコーダ１０１のハードディスクドライブ１１５を、ブルーレイディスク２からコンテンツ２１とディスクＩＤ２２とが格納される際に、コンテンツ２１とディスクＩＤ２２とに加えて、コンテンツ２１の再生可能な回数である再生可能回数が格納されるように構成する。また、ＢＤレコーダ１０１の制御部１１１を、ハードディスクドライブ１１５のコンテンツ２１を再生する際に、再生可能回数が０回の場合に、ブルーレイディスク２からディスクＩＤ２２を取得して、取得したディスクＩＤ２２と、ハードディスクドライブ１１５に格納されているディスクＩＤ２２とが一致していることに基づいて、コンテンツ２１を再生することを許可する制御を行うように構成する。これにより、再生可能回数が０回の場合であっても、ディスクＩＤ２２を取得することによって、コンテンツ２１を再生することができる。
【００７３】
また、第２実施形態では、上記のように、ＢＤレコーダ１０１の制御部１１１を、ハードディスクドライブ１１５のコンテンツ２１を再生する際に、ブルーレイディスク２からディスクＩＤ２２を取得して、取得したディスクＩＤ２２と、ハードディスクドライブ１１５に格納されているディスクＩＤ２２とが一致している場合に、コンテンツ２１を再生することを許可するとともに、再生可能回数をリセットする制御を行うように構成する。これにより、再生可能回数が０回の場合であっても、再生可能回数をリセットすることによって、ディスクＩＤ２２を取得することによって、コンテンツ２１を再生する毎にディスクＩＤ２２を取得する必要がなくなる。また、第２実施形態によるＢＤレコーダ１０１のその他の効果は、第１実施形態におけるＢＤレコーダ１と同様である。
【００７４】
（第３実施形態）
次に、図９および図１０を参照して、第３実施形態によるスマートフォン２０１の構成について説明する。第３実施形態では、ハードディスクドライブのコンテンツを再生する際に、著作権管理サーバと接続ができない場合に、ローカルエリアネットワークに接続されている機器のいずれかにセットされているブルーレイディスクからディスクＩＤを取得する。そして、取得したディスクＩＤと、ハードディスクドライブに格納されているディスクＩＤとが一致していることに基づいて、コンテンツを再生することを許可する制御を行うように構成されている。
【００７５】
図９に示すように、第３実施形態によるスマートフォン２０１は、制御部２１１が設けられている。制御部２１１は、スマートフォン２０１の各部に制御信号を伝達することによって、スマートフォン２０１の全体を制御するように構成されている。なお、スマートフォン２０１は、本発明の「コンテンツ再生装置」の一例である。
【００７６】
また、スマートフォン２０１には、通信部２１２が設けられている。通信部２１２は、第１実施形態によるＢＤレコーダ１の通信部１２と同様に、ルータ６に接続されている。
【００７７】
また、スマートフォン２０１には、メモリ２１５が設けられている。メモリ２１５は、第２実施形態によるＢＤレコーダ１０１のハードディスクドライブ１１５と同様に、コンテンツ２１およびコンテンツ管理情報１２３が格納されている。すなわち、メモリ２１５は、再生可能回数を有する。なお、メモリ２１５は、本発明の「記憶部」の一例である。
【００７８】
また、スマートフォン２０１には、タッチスクリーン２１８が設けられている。タッチスクリーン２１８は、ユーザによるタッチ操作を受け付け可能に構成されているとともに、コンテンツ２１などの画像を表示可能に構成されている。
【００７９】
また、図９に示すように、スマートフォン２０１の外部には、ＢＤレコーダ２０１ａ〜２０１ｃが設けられている。ＢＤレコーダ２０１ａ〜２０１ｃは、それぞれルータ６と接続されている。そして、スマートフォン２０１およびＢＤレコーダ２０１ａ〜２０１ｃは、ルータ６を介して、ホームネットワーク２０８を形成するように構成されている。そして、ホームネットワーク２０８内では、スマートフォン２０１とＢＤレコーダ２０１ａ〜２０１ｃとが互いに通信可能に構成されている。すなわち、ＢＤレコーダ２０１ａ〜２０１ｃのいずれの機器からも、スマートフォン２０１に、ディスクＩＤ２２を送信することが可能に構成されている。なお、ホームネットワーク２０８は、本発明の「ローカルエリアネットワーク」の一例である。
【００８０】
また、図１０に示すように、制御部２１１は、メモリ２１５のコンテンツ２１を再生する際に、再生可能回数が０回である場合は、ユーザにブルーレイディスク２のセットを促す表示を、タッチスクリーン２１８に表示する制御を行うように構成されている。たとえば、制御部２１１は、再生可能回数が０回であると判断した場合には、ユーザにホームネットワーク２０８上の機器にブルーレイディスク２のセットを促す表示である「再生可能回数は０回です。同一ネットワーク（ホームネットワーク２０８）上の機器にリッピング元のディスクを挿入してください。」をタッチスクリーン２１８に表示する制御を行うように構成されている。また、第３実施形態によるスマートフォン２０１のその他の構成は、第１実施形態におけるＢＤレコーダ１と同様である。
【００８１】
次に、図１１を参照して、第３実施形態によるスマートフォン２０１のコンテンツ再生制御処理フローについて説明する。なお、スマートフォン２０１における処理は、制御部２１１により行われる。
【００８２】
まず、図１１に示すように、ステップＳ１、Ｓ２、Ｓ６およびＳ７においては、第１実施形態によるＢＤレコーダ１のコンテンツ再生制御処理のステップＳ１、Ｓ２、Ｓ６およびＳ７と同様に処理される。そして、第３実施形態では、ステップＳ２において著作権管理サーバ４と接続が可能ではない場合に、ステップＳ１０１に進む。そして、ステップＳ１０１およびステップＳ１０４においては、第２実施形態によるＢＤレコーダ１０１のコンテンツ再生制御処理のステップＳ１０１およびステップＳ１０４と同様に処理される。そして、第３実施形態では、ステップＳ１０１において、再生可能回数が０回の場合に、ステップＳ２０１に進む。
【００８３】
そして、ステップＳ２０１において、ホームネットワーク２０８上の機器にブルーレイディスク２のセットを促す表示がタッチスクリーン２１８に表示される。その後、ステップＳ２０２に進む。
【００８４】
ここで、第３実施形態では、メモリ２１５のコンテンツ２１を再生する際に、著作権管理サーバ４と接続ができない場合に、ホームネットワーク２０８に接続されている機器（ＢＤレコーダ２０１ａ〜２０１ｃ）のいずれかにセットされているブルーレイディスク２からディスクＩＤ２２を取得して、取得したディスクＩＤ２２と、メモリ２１５に格納されているディスクＩＤ２２とが一致していることに基づいて、コンテンツ２１を再生することが許可される。
【００８５】
具体的には、ステップＳ２０２において、ホームネットワーク２０８にある機器（たとえば、ＢＤレコーダ２０１ａ〜２０１ｃ）に、セットされているブルーレイディスク２のディスクＩＤ２２を要求する信号が送信される。ＢＤレコーダ２０１ａ〜２０１ｃでは、スマートフォン２０１からセットされているブルーレイディスク２のディスクＩＤ２２を要求する信号を取得した場合で、かつ、ＢＤドライブ１３にブルーレイディスク２がセットされている場合には、ディスクＩＤ２２がスマートフォン２０１に送信される。その後、ステップＳ２０３に進む。
【００８６】
そして、ステップＳ２０３において、ホームネットワーク２０８上の機器（たとえば、ＢＤレコーダ２０１ａ〜２０１ｃ）から取得したディスクＩＤ２２と、メモリ２１５に格納されているディスクＩＤとが一致したか否かが判断される。取得したディスクＩＤ２２と、メモリ２１５に格納されているディスクＩＤとが一致するまでこの判断は繰り返され、取得したディスクＩＤ２２と、メモリ２１５に格納されているディスクＩＤとが一致した場合には、ステップＳ１０３に進む。
【００８７】
そして、ステップＳ１０３においては、第２実施形態によるＢＤレコーダ１０１のコンテンツ再生制御処理のステップＳ１０３と同様の処理が行われる。その後、ステップＳ５に進み、ステップＳ５においては、第１実施形態によるＢＤレコーダ１のコンテンツ再生制御処理のステップＳ５と同様の処理が行われる。その後、スマートフォン２０１におけるコンテンツ再生制御処理フローは終了される。
【００８８】
第３実施形態では、以下のような効果を得ることができる。
【００８９】
第３実施形態では、上記のように、スマートフォン２０１は、ホームネットワーク２０８と通信可能な通信部２１２を備える。また、スマートフォン２０１の制御部２１１を、メモリ２１５のコンテンツ２１を再生する際に、著作権管理サーバ４と接続ができない場合に、ホームネットワーク２０８に接続されている機器（ＢＤレコーダ２０１ａ〜２０１ｃ）のいずれかにセットされているブルーレイディスク２からディスクＩＤ２２を取得して、取得したディスクＩＤ２２と、メモリ２１５に格納されているディスクＩＤ２２とが一致していることに基づいて、コンテンツ２１を再生することを許可する制御を行うように構成する。これにより、ブルーレイディスク２を、ホームネットワーク２０８に接続されている機器（ＢＤレコーダ２０１ａ〜２０１ｃ）のいずれかにセットすることによって、コンテンツ２１を再生することができる。また、第３実施形態によるスマートフォン２０１のその他の効果は、第１実施形態におけるＢＤレコーダ１と同様である。
【００９０】
（第４実施形態）
次に、図１２を参照して、第４実施形態によるＢＤレコーダ３０１の構成について説明する。第４実施形態では、ホームネットワークを介して、ＢＤレコーダとは別個に設けられた外部のＢＤレコーダまたはテレビジョン装置からコンテンツの配信を要求するコンテンツ配信要求信号を取得した場合に、ホームネットワークに接続されている機器のいずれかにセットされているブルーレイディスクからディスクＩＤを取得して、取得したディスクＩＤと、ハードディスクドライブに格納されているディスクＩＤとが一致していることに基づいて、コンテンツを外部のＢＤレコーダまたはテレビジョン装置に配信することを許可する制御を行うように構成されている。
【００９１】
図１２に示すように、第４実施形態によるＢＤレコーダ３０１は、制御部３１１と、コンテンツ管理情報１２３が格納されているハードディスクドライブ１１５とを含む。なお、ハードディスクドライブ１１５およびコンテンツ管理情報１２３は、第２実施形態によるハードディスクドライブ１１５およびコンテンツ管理情報１２３と同様に構成されている。すなわち、ハードディスクドライブ１１５は、再生可能回数を有する。
【００９２】
また、ＢＤレコーダ３０１の外部には、ＢＤレコーダ３０１ａおよび３０１ｂが設けられている。ＢＤレコーダ３０１ａおよび３０１ｂは、ＢＤレコーダ３０１と同様に構成されており、それぞれルータ６を介して、通信可能に構成されている。
【００９３】
また、ＢＤレコーダ３０１の外部には、テレビジョン装置３０５が設けられている。テレビジョン装置３０５も、通信部３５２およびルータ６を介して、ＢＤレコーダ３０１、ＢＤレコーダ３０１ａおよび３０１ｂと通信可能に構成されている。
【００９４】
そして、ＢＤレコーダ３０１と、ＢＤレコーダ３０１ａと、ＢＤレコーダ３０１ｂと、テレビジョン装置３０５とは、ホームネットワーク３０８を形成するように構成されている。そして、ＢＤレコーダ３０１ａまたは３０１ｂから、ＢＤレコーダ３０１に、ディスクＩＤ２２を送信することが可能に構成されている。
【００９５】
また、ホームネットワーク３０８の機器は、異なるメーカ間における機器の接続を容易にするＤＬＮＡ（Ｄｉｇｉｔａｌ  Ｌｉｖｉｎｇ  Ｎｅｔｗｏｒｋ  Ａｌｌｉａｎｃｅ）により機器認証を受けた機器である。また、ＢＤレコーダ３０１、ＢＤレコーダ３０１ａおよびＢＤレコーダ３０１ｂは、ＤＭＳ（Ｄｉｇｉｔａｌ  Ｍｅｄｉａ  Ｓｅｒｖｅｒ）として機能するように構成されており、コンテンツの配信要求信号に応じて、コンテンツを配信可能に構成されている。
【００９６】
また、テレビジョン装置３０５は、ＤＭＰ（Ｄｉｇｉｔａｌ  Ｍｅｄｉａ  Ｐｌａｙｅｒ）として機能するように構成されている。すなわち、テレビジョン装置３０５の制御部３５１は、ＤＭＳとして機能する機器（ＢＤレコーダ３０１など）に、コンテンツの配信要求信号を送信する制御を行うように構成されている。そして、テレビジョン装置３０５の制御部３５１は、コンテンツを取得して、取得したコンテンツを再生して、表示部５３に表示する制御を行うように構成されている。また、第４実施形態によるＢＤレコーダ３０１のその他の構成は、第１実施形態におけるＢＤレコーダ１と同様である。
【００９７】
次に、図１３を参照して、第４実施形態によるＢＤレコーダ３０１のコンテンツ配信制御処理フローについて説明する。なお、ＢＤレコーダ３０１の処理は、制御部３１１により行われる。
【００９８】
ここで、第４実施形態では、ホームネットワーク３０８を介して、ＢＤレコーダ３０１とは別個に設けられた外部のテレビジョン装置３０５からコンテンツ２１の配信を要求するコンテンツ配信要求信号を取得した場合に、ホームネットワーク３０８に接続されている機器（ＢＤレコーダ３０１ａおよび３０１ｂ）のいずれかにセットされているブルーレイディスク２からディスクＩＤ２２を取得して、取得したディスクＩＤ２２と、ハードディスクドライブ１１５に格納されているディスクＩＤ２２とが一致していることに基づいて、コンテンツ２１を外部のテレビジョン装置３０５に配信することが許可される。以下、具体的に説明する。
【００９９】
まず、図１３に示すように、ステップＳ３０１において、コンテンツの配信要求信号が取得されたか否かが判断される。たとえば、テレビジョン装置３０５からＢＤレコーダ３０１に、コンテンツ２１の配信を要求するためのコンテンツの配信要求信号が送信され、ＢＤレコーダによりコンテンツの配信要求信号が取得される。コンテンツの配信要求信号が取得されるまでこの判断は繰り返され、コンテンツの配信要求信号が取得された場合に、ステップＳ３０２に進む。
【０１００】
そして、ステップＳ３０２において、要求されたコンテンツがリッピング処理により取得したコンテンツか否かが判断される。リッピング処理により取得したコンテンツ（コンテンツ２１）の場合には、ステップＳ３０３に進み、リッピング処理により取得したコンテンツでない場合には、ステップＳ３０７に進む。
【０１０１】
そして、ステップＳ３０３において、ＢＤレコーダ３０１のＢＤドライブ１３に挿入されているブルーレイディスクのディスクＩＤが、要求されたコンテンツ２１のディスクＩＤ２２（ハードディスクドライブ１１５に格納されているディスクＩＤ２２）と一致するか否かが判断される。ブルーレイディスクのディスクＩＤと要求されたコンテンツ２１のディスクＩＤ２２とが一致する場合には、ステップＳ３０７に進み、ブルーレイディスクのディスクＩＤと要求されたコンテンツ２１のディスクＩＤ２２とが一致しない場合には、ステップＳ３０４に進む。
【０１０２】
そして、ステップＳ３０４において、ホームネットワーク３０８にある機器（たとえば、ＢＤレコーダ３０１ａおよび３０１ｂ）にセットされているブルーレイディスク２のディスクＩＤ２２を要求する信号がＢＤレコーダ３０１ａおよび３０１ｂに送信される。ＢＤレコーダ３０１ａおよび３０１ｂでは、ＢＤレコーダ３０１からセットされているブルーレイディスク２のディスクＩＤ２２を要求する信号を取得した場合で、かつ、ＢＤドライブ１３にブルーレイディスク２がセットされている場合には、ディスクＩＤ２２がＢＤレコーダ３０１に送信される。その後、ステップＳ３０５に進む。
【０１０３】
そして、ステップＳ３０５において、ホームネットワーク３０８にある機器から取得したディスクＩＤが要求されているコンテンツ２１の要求されたコンテンツ２１のディスクＩＤ２２と一致するか否かが判断される。取得したディスクＩＤが要求されているコンテンツ２１のディスクＩＤ２２と一致する場合には、ステップＳ３０７に進み、取得したディスクＩＤが要求されているコンテンツ２１のディスクＩＤ２２と一致しない場合には、ステップＳ３０６に進む。
【０１０４】
そして、ステップＳ３０６において、配信エラー信号がテレビジョン装置３０５に送信される。この場合、ＢＤレコーダ３０１からテレビジョン装置３０５に、コンテンツ２１は配信されない。その後、ＢＤレコーダ３０１におけるコンテンツ配信制御処理フローは終了される。
【０１０５】
また、ステップＳ３０２においてリッピング処理により取得したコンテンツでない場合、ステップＳ３０３においてブルーレイディスクのディスクＩＤと要求されたコンテンツ２１のディスクＩＤ２２とが一致する場合、ステップＳ３０５において取得したディスクＩＤが要求されているコンテンツ２１のディスクＩＤ２２と一致する場合に進むステップＳ３０７において、コンテンツ２１の配信が行われる。その後、ＢＤレコーダ３０１におけるコンテンツ配信制御処理フローは終了される。
【０１０６】
第４実施形態では、以下のような効果を得ることができる。
【０１０７】
第４実施形態では、上記のように、ＢＤレコーダ３０１の制御部３１１を、ホームネットワーク３０８を介して、ＢＤレコーダ３０１とは別個に設けられた外部のテレビジョン装置３０５からコンテンツ２１の配信を要求するコンテンツ配信要求信号を取得した場合に、ホームネットワーク３０８に接続されている機器（ＢＤレコーダ３０１ａおよび３０１ｂ）のいずれかにセットされているブルーレイディスク２からディスクＩＤ２２を取得する制御を行うように構成する。また、ＢＤレコーダ３０１の制御部３１１を、取得したディスクＩＤ２２と、ハードディスクドライブ１１５に格納されているディスクＩＤ２２とが一致していることに基づいて、コンテンツ２１を外部のテレビジョン装置３０５に配信することを許可する制御を行うように構成する。これにより、取得したディスクＩＤ２２と、ハードディスクドライブ１１５に格納されているディスクＩＤ２２とが一致している場合にのみコンテンツ２１が配信されるので、外部のテレビジョン装置３０５からコンテンツ２１の配信を要求するコンテンツ配信要求信号を取得した場合に、無制限にコンテンツが配信されるのを抑制することができる。その結果、ＢＤレコーダ３０１に設けられた再生可能回数が、ユーザが意図しない間に、減少させられるのを抑制することができる。また、第４実施形態によるＢＤレコーダ３０１のその他の効果は、第１実施形態におけるＢＤレコーダ１と同様である。
【０１０８】
（第５実施形態）
次に、図１、図１４および図１５を参照して、第５実施形態によるＢＤレコーダ４０１の構成について説明する。第５実施形態では、コンテンツの再生可能な回数である再生可能回数が設けられていた第２実施形態によるＢＤレコーダ１０１と異なり、コンテンツの再生可能な期間である再生可能期間が設けられている。
【０１０９】
図１に示すように、第５実施形態によるＢＤレコーダ４０１は、制御部４１１と、ハードディスクドライブ４１５とを含む。
【０１１０】
ここで、第５実施形態では、図１４に示すように、ハードディスクドライブ４１５は、ブルーレイディスク２からコンテンツ２１とディスクＩＤ２２とが格納される際に、コンテンツ２１とディスクＩＤ２２とに加えて、コンテンツ２１の再生可能な期間である再生可能期間を、コンテンツ管理情報４２３に追加して格納するように構成されている。
【０１１１】
具体的には、図１４に示すように、制御部４１１は、ＢＤドライブ１３に挿入されているブルーレイディスク２からコンテンツ２１とディスクＩＤ２２とを取得する（リッピング処理する）際に、再生可能期間を設定する制御を行うように構成されている。そして、制御部４１１は、コンテンツ２１とディスクＩＤ２２とに、設定した再生可能期間（たとえば、初期値を７日とする）の内容を付加したコンテンツ管理情報４２３をハードディスクドライブ４１５に記憶するように構成されている。
【０１１２】
たとえば、図１４に示すように、コンテンツ管理情報４２３は、第１実施形態によるコンテンツ管理情報２３の内容に加えて、コンテンツ２１（タイトル名「日本の景勝地」）に対応する情報として、「再生可能期間：７日」の内容を含む。また、ブルーレイディスクからリッピング処理により取得されたコンテンツではないコンテンツ（タイトル名「イブニングバード」）に対応する情報として、「再生可能期間：無期限」の内容を含む。
【０１１３】
また、図１５に示すように、制御部４１１は、ハードディスクドライブ４１５のコンテンツ２１を再生する際に、取得したディスクＩＤ２２と、ハードディスクドライブ４１５に記憶に格納されているディスクＩＤ２２とが一致していると制御部４１１が判断した時から経過した時間（経過時間）が再生可能期間を超えた場合に、ユーザにブルーレイディスク２のセットを促す表示を、ＯＳＤ部１６から出力する制御を行うように構成されている。
【０１１４】
たとえば、図１４に示すように、ブルーレイディスク２からリッピング処理されたコンテンツ２１であるタイトル名「日本の景勝地」（２０１４年１月１日０：００にリッピング処理されたコンテンツ）が、ユーザの操作により選択された場合に、制御部４１１は、経過時間がコンテンツ２１の再生可能期間を超えているか否かを判断する制御を行うように構成されている。そして、上記のリッピング処理された時以降、１度もブルーレイディスク２がＢＤドライブ１３に挿入されておらず、制御部４１１がディスクＩＤ２２を取得していない場合、現在の日時が、２０１４年１月９日であれば、制御部４１１により、経過時間がコンテンツ２１の再生可能期間を超えていると判断されるように構成されている。
【０１１５】
そして、制御部４１１は、経過時間がコンテンツ２１の再生可能期間を超えていると判断した場合には、ユーザにブルーレイディスク２のセットを促す表示である「再生可能期間を超えています。リッピング元のディスクを挿入してください。」をＯＳＤ部１６から出力する制御を行うように構成されている。そして、テレビジョン装置５の表示部５３に、上記のブルーレイディスク２のセットを促す表示が表示されるように構成されている。また、第５実施形態によるＢＤレコーダ４０１のその他の構成は、第１実施形態におけるＢＤレコーダ１と同様である。
【０１１６】
次に、図１６を参照して、第５実施形態によるＢＤレコーダ４０１のコンテンツ再生制御処理フローについて説明する。ＢＤレコーダ４０１における処理は、制御部４１１により行われる。
【０１１７】
まず、図１６に示すように、ステップＳ１、Ｓ２、Ｓ６およびＳ７においては、第１実施形態によるＢＤレコーダ１のコンテンツ再生制御処理のステップＳ１、Ｓ２、Ｓ６およびＳ７と同様に処理される。そして、第５実施形態では、ステップＳ２において著作権管理サーバ４と接続が可能ではない場合に、ステップＳ４０１に進む。
【０１１８】
ここで、第５実施形態では、ステップＳ４０１において、経過時間がコンテンツ２１の再生可能期間を超えているか否かが判断される。経過時間がコンテンツ２１の再生可能期間を超えている場合には、ステップＳ４０２に進み、経過時間がコンテンツ２１の再生可能期間を超えていない場合には、ステップＳ５に進む。
【０１１９】
そして、ステップＳ４０２において、ブルーレイディスク２のセットを促す表示（図１５参照）がＯＳＤ部１６から出力される。その後、ステップＳ４に進む。そして、ステップＳ４においては、第１実施形態によるＢＤレコーダ１のコンテンツ再生制御処理のステップＳ４と同様の処理が行われる。その後、ステップＳ４０３に進む。
【０１２０】
ここで、第５実施形態では、ハードディスクドライブ４１５のコンテンツ２１を再生する際に、ディスクＩＤ２２を取得して、取得したディスクＩＤ２２と、ハードディスクドライブ４１５に格納されているディスクＩＤ２２とが一致している場合に、コンテンツ２１を再生することが許可されるとともに、再生可能期間がリセットされる。
【０１２１】
具体的には、ステップＳ４０３において、再生可能期間がリセットされる。すなわち、２０１４年１月９日０：００にステップＳ４０３の処理が行われた場合には、次回にステップＳ４０１により判断される経過時間は、２０１４年１月９日０：００からの経過時間となる。その後、ステップＳ５に進む。そして、ステップＳ５において、コンテンツ２１の再生が行われる。その後、ＢＤレコーダ４０１のコンテンツ再生制御処理フローは終了される。
【０１２２】
第５実施形態では、以下のような効果を得ることができる。
【０１２３】
第５実施形態では、上記のように、ＢＤレコーダ４０１のハードディスクドライブ４１５を、ブルーレイディスク２からコンテンツ２１とディスクＩＤ２２とが格納される際に、コンテンツ２１とディスクＩＤ２２とに加えて、コンテンツ２１の再生可能な期間である再生可能期間が格納されるように構成する。また、ＢＤレコーダ４０１の制御部４１１を、ハードディスクドライブ４１５のコンテンツ２１を再生する際に、取得したディスクＩＤ２２と、ハードディスクドライブ４１５に格納されているディスクＩＤ２２とが一致していると制御部４１１が判断した時から経過した時間が再生可能期間を超えた場合に、ブルーレイディスク２からディスクＩＤ２２を取得して、取得したディスクＩＤ２２と、ハードディスクドライブ４１５に格納されているディスクＩＤ２２とが一致していることに基づいて、コンテンツ２１を再生することを許可する制御を行うように構成する。これにより、取得したディスクＩＤ２２と、ハードディスクドライブ４１５に格納されているディスクＩＤ２２とが一致していると制御部４１１が判断した時から経過した時間が再生可能期間を超えた場合であっても、ディスクＩＤ２２を取得することによって、コンテンツ２１を再生することができる。
【０１２４】
また、第５実施形態では、上記のように、ＢＤレコーダ４０１の制御部４１１を、ハードディスクドライブ４１５のコンテンツ２１を再生する際に、ブルーレイディスク２からディスクＩＤ２２を取得して、取得したディスクＩＤ２２と、ハードディスクドライブ４１５に格納されているディスクＩＤ２２とが一致している場合に、コンテンツ２１を再生することを許可するとともに、再生可能期間をリセットする制御を行うように構成する。これにより、取得したディスクＩＤ２２と、ハードディスクドライブ４１５に格納されているディスクＩＤ２２とが一致していると制御部４１１が判断した時から経過した時間が再生可能期間を超えた場合であっても、再生可能期間をリセットすることによって、ディスクＩＤ２２を取得することによって、コンテンツ２１を再生する毎にディスクＩＤ２２を取得する必要がなくなる。また、第５実施形態によるＢＤレコーダ４０１のその他の効果は、第１実施形態におけるＢＤレコーダ１と同様である。
【０１２５】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【０１２６】
たとえば、上記第１〜第５実施形態では、本発明のコンテンツ再生装置として、ブルーレイディスク（ＢＤ）レコーダおよびスマートフォンを用いる例を示したが、本発明はこれに限られない。本発明は、コンテンツ再生装置としてＢＤレコーダおよびスマートフォン以外のコンテンツ再生装置を用いてもよい。たとえば、コンテンツ再生装置として、ＤＶＤ（Ｄｉｇｉｔａｌ  Ｖｅｒｓａｔｉｌｅ  Ｄｉｓｋ）レコーダを用いてもよい。
【０１２７】
また、上記第１〜第５実施形態では、本発明の記憶媒体として、ブルーレイディスクを用いる例を示したが、本発明はこれに限られない。本発明は、記憶媒体として、ブルーレイディスク以外の記憶媒体を用いてもよい。たとえば、記憶媒体として、ＤＶＤを用いてもよい。
【０１２８】
また、上記第２〜第４実施形態では、本発明の再生可能回数の初期値を５回とする例を示したが、本発明はこれに限られない。本発明は、再生可能回数の初期値を５回以外の回数に構成してもよい。たとえば、再生可能回数の初期値を５回より大きい回数にしてもよいし、５回未満の回数に構成してもよい。
【０１２９】
また、上記第５実施形態では、本発明の再生可能期間を７日とする例を示したが、本発明はこれに限られない。本発明は、再生可能期間を７日以外の期間に構成してもよい。たとえば、再生可能期間を７日よりも長い期間にしてもよいし、７日よりも短い期間に構成してもよい。
【０１３０】
また、上記第２〜第５実施形態では、本発明の再生可能回数または再生可能期間をＢＤレコーダにより設定する例を示したが、本発明はこれに限られない。本発明は、再生可能回数または再生可能期間をＢＤレコーダにより設定するように構成しなくてもよい。たとえば、ブルーレイディスクに予め再生可能回数または再生可能期間を格納して、リッピング処理の際に、ブルーレイディスクからＢＤレコーダに記憶されるように構成してもよい。
【０１３１】
また、上記第３実施形態および第４実施形態では、本発明のローカルエリアネットワークを、ホームネットワークに適用する例を示したが、本発明はこれに限られない。本発明は、ローカルエリアネットワークを、ホームネットワーク以外のローカルエリアネットワークに適用してもよい。
【０１３２】
また、上記第２実施形態および第５実施形態では、本発明の再生可能回数と再生可能期間とを、別々の実施形態として示したが、本発明はこれに限られない。本発明は、再生可能回数と再生可能期間とをともに設けるように構成してもよい。
【０１３３】
また、上記第１〜第５実施形態では、説明の便宜上、本発明の制御部の処理を処理フローに沿って順番に処理を行うフロー駆動型のフローチャートを用いて説明したが、本発明はこれに限られない。本発明では、制御部の処理動作を、イベントごとに処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【０１３４】
１、１０１、３０１、３０１ａ、３０１ｂ、４０１  ＢＤレコーダ（コンテンツ再生装置）
２  ブルーレイディスク（外部記憶媒体）
４  著作権管理サーバ（外部管理サーバ）
１１、２１１、３１１、４１１  制御部
１２、２１２  通信部
１５  ハードディスクドライブ（記憶部）
１６  ＯＳＤ部（出力部）
２１  コンテンツ
２２  ディスクＩＤ（識別情報）
２３、１２３、４２３  コンテンツ管理情報（識別情報）
５３  表示部（外部表示部）
２０１  スマートフォン（コンテンツ再生装置）
２０８、３０８  ホームネットワーク（ローカルエリアネットワーク）
２１５  メモリ（記憶部）
【図１】
2015225676.tif 000003
【図２】
2015225676.tif 000004
【図３】
2015225676.tif 000005
【図４】
2015225676.tif 000006
【図５】
2015225676.tif 000007
【図６】
2015225676.tif 000008
【図７】
2015225676.tif 000009
【図８】
2015225676.tif 000010
【図９】
2015225676.tif 000011
【図１０】
2015225676.tif 000012
【図１１】
2015225676.tif 000013
【図１２】
2015225676.tif 000014
【図１３】
2015225676.tif 000015
【図１４】
2015225676.tif 000016
【図１５】
2015225676.tif 000017
【図１６】
2015225676.tif 000018